(57)【特許請求の範囲】
【請求項１】
動物の身体の一部にある傷の限局性治療のための移動可能・使い捨て型局所高圧酸素室であって、
内部室およびガスを有する密閉バッグを包含し、この密閉バッグが、圧力をかけた前記ガスを受け取り、前記密閉バッグ内の前記ガスが、周囲圧力よりも上で、水銀柱０．５ミリメートルより高いが、水銀柱１０ミリメートルより低い圧力であり、前記ガスが酸素を含んでおり、前記密閉バッグが、前記内部室へ入るためのただ一つの身体アクセス開口を有し、動物の身体の一部が前記内部室内に挿入されるようになっており、身体のこの部分が、前記身体アクセス開口を通して導かれて前記内部室内に置かれるようになっており、
前記密閉バッグが、薄くて、可撓性のある、透明な材料で構成された壁を有し、前記身体アクセス開口まわりの前記バッグの前記壁が、一連の予め形作られたプリーツを包含し、前記身体アクセス開口が初期開口サイズを有し、前記予め形作られたプリーツが、前記壁内に形成された一連の平行に隔たった折り線によって形成されており、前記予め形作られたプリーツが、前記身体アクセス開口の初期開口サイズの拡大及び縮小を許容し、前記予め形作られたプリーツが、前記アクセス開口のところで前記壁を寄せ集めて動物の身体の前記部分とのしまりばめを形成するのを容易にし、前記予め形作られたプリーツが、また、バッグの形状における局所的な変化を許し、或る種の傷の領域を覆って酸素の体積を集中させることによって傷の位置に順応することができ、
前記身体アクセス開口のところで前記壁にシール手段が取り付けてあり、このシール手段が、前記密閉バッグと身体の前記部分との間にほぼ気密のシールを形成し、前記内部室から前記ガスのゆっくりした漏洩だけを許すようになっており、
前記壁が、少なくとも１つの供給コネクタを有し、この供給コネクタが、前記ガスを供給するガス供給チューブと接続するようになっており、前記供給コネクタが、拡大フランジに装着された雄型管状ステムを有し、前記拡大フランジが、前記壁に固着されており、それによって、前記拡大フランジが、ガス供給チューブの捻転を防ぎ、前記内部室内への前記ガスの連続的な供給を保証するようになっていることを特徴とする移動可能・使い捨て型局所高圧酸素室。
【請求項２】
動物の身体の一部にある傷の限局性治療のための移動可能・使い捨て型局所高圧酸素室であって、
内部室およびガスを有する密閉バッグを包含し、この密閉バッグが、圧力をかけた前記ガスを受け取り、前記密閉バッグ内の前記ガスが、周囲圧力よりも上で、水銀柱０．５ミリメートルより高いが、水銀柱１０ミリメートルより低い圧力であり、前記密閉バッグが、前記内部室へ入るためのただ一つの身体アクセス開口を有し、動物の身体の一部が前記内部室内に挿入されるようになっており、身体のこの部分が、前記身体アクセス開口を通して導かれて前記内部室内に置かれるようになっており、
前記密閉バッグが、薄くて、可撓性のある、透明な材料で構成された壁を有し、前記身体アクセス開口まわりの前記バッグの前記壁が、一連の予め形作られたプリーツを包含し、前記身体アクセス開口が初期開口サイズを有し、前記予め形作られたプリーツが、前記壁内に形成された一連の平行に隔たった折り線によって形成されており、前記予め形作られたプリーツが、前記身体アクセス開口の初期開口サイズの拡大及び縮小を許容し、前記予め形作られたプリーツが、前記アクセス開口のところで前記壁を寄せ集めて動物の身体の前記部分とのしまりばめを形成するのを容易にし、前記プリーツが、一緒に束ねられたときに、局所的な形状変化を許し、傷の領域を覆う酸素の体積を集中させるようになっており、
前記身体アクセス開口のところで前記壁にシール手段が取り付けてあり、このシール手段が、前記密閉バッグと身体の前記部分との間にほぼ気密のシールを形成し、前記内部室から前記ガスのゆっくりした漏洩だけを許すようになっており、
前記壁が、少なくとも１つの排水用コネクタを有し、この排水用コネクタが、ドレイン・チューブと接続し、前記内部室内から溜まった液体を取り出せるようになっていることを特徴とする移動可能・使い捨て型局所高圧酸素室。
【請求項３】
動物の身体の一部にある傷の限局性治療のための移動可能・使い捨て型局所高圧酸素室であって、内部室およびガスを有する密閉バッグを包含し、この密閉バッグが、圧力をかけた前記ガスを受け取り、前記密閉バッグ内の前記ガスが、周囲圧力よりも上で、水銀柱０．５ミリメートルより高いが、水銀柱１０ミリメートルより低い圧力であり、前記ガスが酸素を含んでおり、前記密閉バッグが、前記内部室へ入るためのただ一つの身体アクセス開口を有し、動物の身体の一部が前記内部室内に挿入されるようになっており、身体のこの部分が、前記身体アクセス開口を通して導かれて前記内部室内に置かれるようになっており、
前記密閉バッグが、薄くて、可撓性のある、透明な材料で構成された壁を有し、前記身体アクセス開口まわりの前記バッグの前記壁が、一連の予め形作られたプリーツを包含し、前記身体アクセス開口が初期開口サイズを有し、前記予め形作られたプリーツが、前記壁内に形成された一連の平行に隔たった折り線によって形成されており、前記予め形作られたプリーツが、前記身体アクセス開口の初期開口サイズの拡大及び縮小を許容し、前記予め形作られたプリーツが、前記アクセス開口のところで前記壁を寄せ集めて動物の身体の前記一部とぴったり合わせることを容易にし、前記予め形作られたプリーツが、一緒に束ねられたとき、局所的な形状変化を許し、傷の領域を覆って酸素の体積を集中させるようになっており、
前記身体アクセス開口のところで前記壁にシール手段が取り付けてあり、このシール手段が、前記密閉バッグと身体の前記部分との間にほぼ気密のシールを形成し、前記内部室から前記ガスのゆっくりした漏洩だけを許すようになっており、
前記壁内に少なくとも１つの手アクセス開口が形成してあり、この手アクセス開口が、管状の手袋部材を包含し、前記管状の手袋部材が、薄くて、可撓性のある、気密材料で形成されて折り、前記管状の手袋部材が、外部位置と内部位置との間で移動することができ、前記外部位置が、前記壁の外部に前記管状の手袋部材を位置させ、前記内部位置が、前記内部室内に前記管状の手袋部材を位置させ、それによって、人の手が前記管状の手袋部材と接続し、前記管状の手袋部材を前記内部室内で動かし、人の手が前記内部室内で身体の前記部分についての作業を実施できると共に、前記内部室内の前記ガスのガス加圧環境を維持できるようにしたことを特徴とする移動可能・使い捨て型局所高圧酸素室。
【請求項４】
請求項３記載の移動可能・使い捨て型局所高圧酸素室において、前記壁が、前記ガスを供給するガス供給チューブと接続するようになっている少なくとも１つの供給コネクタを有し、この供給コネクタが、拡大フランジに装着された雄型管状ステムを有し、前記拡大フランジが、前記壁に固着してあり、それによって、前記拡大フランジが、前記ガス供給チューブの捻転を防ぎ、ガス供給チューブを通しての前記内部室への前記ガスの連続的な供給を保証することを特徴とする移動可能・使い捨て型局所高圧酸素室。
【請求項５】
請求項３記載の移動可能・使い捨て型局所高圧酸素室において、前記壁が、少なくとも１つの排水用コネクタを有し、この排水用コネクタが、ドレイン・チューブと接続し、前記内部室内に溜まった液体を取り出せるようになっていることを特徴とする移動可能・使い捨て型局所高圧酸素室。
【請求項６】
請求項３記載の移動可能・使い捨て型局所高圧酸素室において、圧力センサが前記密閉バッグに接続されており、前記圧力センサが、前記高圧酸素室の動作中に観察者に前記ガスの圧力レベルの狭い領域を示すことができることを特徴とする移動可能・使い捨て型局所高圧酸素室。
【発明の詳細な説明】
【０００１】
【発明の背景】
１）発明の分野
本発明は高圧酸素室に関する。より具体的に云うと、本発明は、酸素を含むガスを局所的に付与するための、移動可能な使い捨て型高圧酸素室であって、患者の身体にある皮膚潰瘍や、外傷や、損傷のような傷の治癒を促進するために、人体のような動物の胴部や２本以上の肢部に関連して使用するように設計され、酸素含有ガスを付与するための密閉環境を創り出す高圧酸素室に関するものである。
【０００２】
２）従来技術の説明
高圧酸素室は長くから知られている。高圧酸素室というのは、種々なタイプの傷の治癒を促進するために、加圧酸素をカプセル化した環境に導入するのを目的とするものであり、特に、高圧酸素室内で傷を治療することで治癒が促進され、バクテリア感染を抑制することができる、ということが判っている。
【０００３】
高圧酸素室が初めて導入されたときには、鉄の肺に似せた固くて重い構造の形を採っていた。そして、患者は頸部までの全身を高圧酸素室内に入れられたのである。この種のタイプの高圧酸素室の欠点の１つは、患者を高圧酸素室まで連れて行かねばならなかった、ということである。また、高圧酸素室の寸法や重量のせいで、この種のタイプの高圧酸素室は非常に高価であり、したがって、普通の病院では、このような高価な高圧酸素室は１台か２台しか備えられなかったので、いろいろに異なった多くの患者に対して高圧酸素室を使用する時間を配分するというのが困難だったのである。その上、患者間同士での感染の可能性があるため、高圧酸素室を使用毎に清浄にするのに、多大な時間や労力を費さねばならなかった。あらゆる点で、このような「鉄の肺」タイプの高圧酸素室は不便だったのである。
【０００４】
時代が進むにつれて、高圧酸素室は、より洗練されてきて、移動可能型の高圧酸素室が製造されるようになった。このような高圧酸素室は、移動可能になったばかりでなく、安価にもなり、使用後に廃棄処分することができるようにもなった。これらのより洗練された高圧酸素室はサイズも豊富になり、あるものは基本的には患者の胴部全体を包み込むことができるし、小さいものでは、腕や脚のような胴部よりも小さい部分だけを覆い込むのに使用される得る。
【０００５】
しかしながら、従来技術の移動可能型高圧酸素室は、或る種の欠点を持っていた。
これらの欠点の１つは、かなりの量の酸素を傷にさらすようにするためには、移動可能型高圧酸素室を患者の身体周りに非常にゆったりと嵌める、ということが重要であって、身体に対して高圧酸素室を近づけて装着することは望ましくないということであり、多くの従来技術の移動可能型高圧酸素室では、このようにゆったりと装着を適正に行うことができなかった。
【０００６】
別の欠点は、プラスチック・バッグ製の高圧酸素室にガス供給チューブを接続しなければならないということであり、このような大抵のガス供給チューブは、可撓性の薄肉プラスチック・バッグ製である移動可能型高圧酸素室に接続した時に、直ちに、ガス供給チューブが捩れる傾向にある。このように捩れてしまっては、プラスチックバッグ製の内部室内へのガス供給が減ってしまったり、完全に遮断されてしまうことになる。高圧酸素室を満足な状態で機能させるためには、一定して連続するガス供給が必要である。
【０００７】
従来技術の高圧酸素室における更に別の欠点は、時には患者は数時間にわたって高圧酸素室内に置かれることもあり、この患者が意識を失ってしまうことさえあるかも知れないし、また、患者が排尿してしまうかも知れず、従来技術タイプの高圧酸素室では、尿を除去し易くするようには構成されていなかった、ということである。
【０００８】
従来技術の高圧酸素室における別の欠点は、高圧酸素室（バッグ）の壁から手を通して患者に処置を施す方法がまったくなかった、ということである。たとえば、時には、患者の体位を或る位置から別の位置へ変えたり、患者の特定の組織部分を別の方へ動かしたりする必要があり、また、患者の身体の特定部位を時々マッサージしたりすることも望まれるところである。従来技術タイプの移動可能型高圧酸素室では、高圧酸素室の壁厚があまりにも厚すぎるために手作業による処置が容易にできず、そのため、通常は、患者の身体へ満足のゆく接触ができない。
【０００９】
また更に別の欠点は、皮膚潰瘍、外傷、損傷の治癒に必要な狭い範囲に室内圧力を維持することができないということである。傷内で新しい血管の成長を最大限にし、瘢痕の組織が大きくなり過ぎないようにするためには、高圧酸素室内の圧力を、常時、高圧酸素室内の狭い窓（ウィンドウ）の圧力内に維持しなければならない。このような圧力維持するための狭い「窓」は、従来技術では知られていない。
【００１０】
【発明の概要】
本発明は、従来技術の高圧酸素室の欠点を克服し、皮膚潰瘍、外傷、損傷を含む傷を治療するための高圧酸素室を提供する。この高圧酸素室は、使い捨てであり、移動可能で、安価である。そして、高圧酸素室に接続されるガス供給チューブのところでバッグがねじれてしまう可能性を排除し、さらに、高圧酸素室内に溜まった液体を排出させることができ、その上、局所的高圧酸素室内に加圧環境を維持しながら患者の体に対して身体的な物理的作業を施す、という方法を提供する。最も重要なことは、本発明の高圧酸素室が、瘢痕の組織が過度に形成されないように抑えながら新しい血管の成長を最大限にするのに必要な狭い「窓」内に、バッグ内の圧力を、常時、確実に維持する方法を提供することである。
【００１１】
今日まで、新しい血管の成長から瘢痕組織の成長を分離する治療はまったく知られていない。本発明の高圧酸素室は、単一のアクセス開口を有する密閉バッグを利用する。動物（ほとんどの場合、人間であろう）の胴部全体（体幹）が実質的にバッグの内部室内に挿入されて、バッグの壁が人間の身体に対してゆったりとゆるやかに嵌合する。バッグのアクセス開口周囲において、バッグの壁には、バッグが局部的に膨張するようにさせ且つ傷の直ぐ上の領域内において内部室の体積を増大させるために、プリーツが設けてある。バッグの壁には、酸素を含むガス源へ接続される供給コネクタが、少なくとも１つ有る。この供給コネクタは、拡大フランジおよび管状ステムを有する。この管状ステムは、酸素供給チューブとの接続用のものである。拡大フランジは、バッグの壁に固着されている。この拡大フランジの機能は、ガス供給チューブの捩れを生じさせたり或いはバッグの内部室へガスを供給するのを減らしたり遮断したりする恐れのある、コネクタのバッグに関して回動するを阻止することである。また、排水用コネクタがバッグの壁内に設けてあり、その機能は、内部室内に蓄積された液体の除去のための排水管に接続することである。また、バッグの壁内には、治療中の患者を取扱うためのアクセス開口が、少なくとも１個、形成されるようになる。このアクセス開口内には、肉薄の手袋が配置されている。この手袋は非常にしなやかであり、医療従事者である介護人の手を手袋へ挿入すれば、簡単に裏返しにすることができるようになっている。これによって、密封された高圧酸素室内にいる患者の身体を介護人が取扱うことができる。
【００１２】
本発明の目的の１つは、酸素室それ自体は折畳み式であるので、使用前にはかなり小さいスペースに格納することができる、という高圧酸素室を提供することにある。
【００１３】
本発明の別の目的は、安価で、使い捨て可能な、高圧酸素室を構築することにある。
【００１４】
本発明の別の目的は、軽量であるが故に、患者を酸素室が格納されている所へ動かすのではなく、酸素室を格納されている所から患者のいる場所へ簡単に移動させることができる、というようになる高圧酸素室を提供することにあり、更にまた、軽量であることにより、高圧酸素室の医療設備への輸送コストを最小限に抑えることができるという利点を得ることができる。
【００１５】
本発明の別の目的は、患者が自分の体を高圧酸素室内で気持ちよく移動することができ、治療時間の間、固定した姿勢を維持する必要がない、という高圧酸素室を構築することにある。
【００１６】
本発明の別の目的は、患者の身体を治療時間中に簡単に目視できるように、基本的に透明である高圧酸素室を構築することにある。
【００１７】
本発明の別の目的は、酸素を含むガスを局部的に適用できると共に、使い捨て可能であるという高圧酸素室を構築することによって、このような酸素室を使えば、なんら清浄化する必要がなく、多数の患者が同じ酸素室を使用するときに起こり得る可能性のある感染を防ぐことができるようにすることにある。
【００１８】
本発明の別の目的は、新しい血管の成長を最大限にすると同時に瘢痕の組織形成を抑制するのに必要な狭い圧力の窓を維持するために、高圧酸素室に圧力センサを組み込むことができるようにすることにある。
【００１９】
本発明の別の目的は、患者の身体のむずかしい部位の傷に当てるかなりの量のガスを収容して供給するために、簡単に形状が変えられるようになる高圧酸素室のバッグを構築することにある。
【００２０】
【好ましい実施例の詳細な説明】
以下、図面を参照して本発明の高圧酸素室を説明する。
図１には、ベッド１２上に腹臥姿勢に位置した人間１０が表わしてある。人間１０は胴部または体幹１４を有する。本発明の移動可能型高圧酸素室１６は、以下の方法で人間１０と関連して装着される。
【００２１】
高圧酸素室１６は、主として、拡がったシート材料のプラスチック・バッグ１８からなる。バッグ１８の代表的な材料は、ポリエチレンである。バッグ１８は、その内部室２２への入口を提供するただ１つのアクセス開口２０を有する。このアクセス開口２０は、人間１０の脚部２４、２６を内部室２２内に位置づけることができ、また、アクセス開口２０が胴部１４周り位置づけられるように、充分な大きさをしている。バッグ１８が透明であることが重要である。
【００２２】
バッグ１８の典型的な厚みは、一般的に、約０.００６インチ位である。アクセス開口２０に直ぐ隣接するバッグ１８には、複数のプリーツ部２８がある。プリーツ部２８は、一連の平行に隔たった折り目３０によって形成されており、ポリエチレン製の部分を折り重ね、各折り目が１つのプリーツとして限定される。これらのプリーツ部２８は、プリーツを互いに束ねたり、重ね合わせたり、折り重ねたりして、様々に異なる胴部１４の腹囲を収容し易くするものである。プリーツ部２８は、胴部１４の様々に異なる寸法に対してそれに対応するよう調整を容易にするばかりでなく、プリーツの折り重ねによって胴部１４に非常に近づけて装着させるのを可能にする。アクセス開口２０領域のバッグ１８は、シール用テープ３２によって胴部１４周囲に合わせることができる。シール用テープ３２を胴部１４周りに配置し、また、バッグ１８のアクセス開口２０周りにも配置し、シール用テープ３２の両端部を互いに重なり合せた状態で固着する。シール用テープ３２が或る種の接着剤を含むことになることは了解されたい。
【００２３】
先に延べたように、内部室２２内に供給されることになっている酸素を含む加圧ガス混合物にはある程度の量の漏洩がある。この漏洩は、シール用テープ３２の領域で生じる。内部室内に収容されたガスが常に一定に交換されるようにするために、少量の漏洩があることが望ましい。
【００２４】
酸素を含むガスは、ガス源（図示せず）からガス供給チューブ３４を通して内部室２２内に供給されることになっている。ガス供給チューブ３４は、図１〜３および図６に示す第１実施例のコネクタの直立コネクタ・ステム３６上へ固着される。このコネクタ・ステム３６は、拡大フランジ３８と一体であり、このフランジは、ディスク状で、ステム３６から外方へ直角に延びている。コネクタ・ステム３６は、長手方向の貫通開口４０と、ギザギザの付いて外面４２とを有する。このギザギザの付いた外面４２により、ガス供給チューブ３４とのとまりばめがし易すくなる。また、ギザギザの付いた外面４２は、ガス供給チューブ３４がコネクタ・ステム３６から脱落するのに抗する働きをする。
【００２５】
コネクタ・ステム３６は、バッグ１８内に形成された孔４４を通して嵌入されるフランジ３８は、バッグ１８の内面に直ぐ隣接して位置づけられる。コネクタ・ステム３６を取り囲んでいるバッグ１８の外面に対してウォッシャ４６が装着されている。ウォッシャ４６およびフランジ３８の両方共、バッグ１８にしっかりとシールされる。代表的なシール法としては熱によるものがある。
【００２６】
コネクタ・ステム３６の機能は、フランジ３８およびウォッシャ４６と関連して、バッグ１８とガス供給チューブ３４との間に捩れが生じない状態を確立することである。ガス供給チューブ３４の位置に関係なく、供給チューブ３４と貫通開口４０との間には、開放したガス流路が常にあり、故に、ガスは、ガス供給チューブ３４から内部室２２内へ常に自由に流れるようになっている。
【００２７】
また、排水用コネクタ４８が、バッグ１８に関連して装着されている。排水用コネクタ４８は、図面の図６に示すコネクタと正確に同じ方法で構成される。排水用コネクタ４８は、バッグ１８の足部領域５０に装着される。排水用コネクタ４８は、ベッド１２に直ぐ隣接して位置づけられる。排水用コネクタ４８の機能は、内部室２２内に蓄積された液体を排水用のホース５２内へ放出することにある。液体は、図示しない適当な外部にある放出場所へ放出されるようになっている。
【００２８】
手によるアクセス開口５４が１対、バッグ１８の両サイドの各壁面内に形成されている。ゴムまたはプラスチック製の肉薄の管状部材５６が、各々の手アクセス開口５４に関連して装着されている。管状部材５６は細長く、その外端が人間の手に合わせた手袋の形に終端している。各管状部材５６は、それぞれの手アクセス用開口５４と気密に接続している。一方の管状部材５６は、医療従事者の左手に合わせてあり、他方の管状部材５６は、医療従事者の右手に合わせてある。
【００２９】
通常、圧力が１乃至１.５気圧の間位になるまでガスを内部室２２内に供給すると、管状部材５６は、図２に示すように、バッグ１８から外方に突出した位置につくようになる。しかしながら、医療従事者としての介護人が人間の患者１０に或る種の作業（たとえば、患者の身体領域を扱うこと）を行なおうと思った場合には、医療従事者が管状部材５６内に自分の手を挿入することによって、強制的に左右管状部材５６それぞれを内部室２２内部へと強制的に移動させることができる。これにより、介護人の手を内部室２２内に置き、介護人が人間の患者１０に所望の物理的な機能を実施することができる。管状部材５６を製造するためのの典型的な材料は、外科手術の際に使用される手術用手袋を作るときに普通に使用される、薄い外科用のゴムである。
【００３０】
医療従事者としての介護人が患者１０に所望される身体的な物理的作業を全て終えて、各アクセス開口５４を通して内部室２２から自分の手や腕を引き抜くと、管状部材５６は再び図２に示す外方突出位置をとるようになる。患者に対して管状部材５６を使用している場合の位置が、図３に示してある。
【００３１】
シール用テープ３２は非常にきつく調整することができるので、ほとんど全く酸素が逃げ出せないようにすることもできるようになっている。このような状態の時に、シール用テープ３２をいくぶん緩めると、内部室２２内のガス圧力が、傷の治癒に必要な、狭い窓の圧力内に維持されるようになる。典型的には、バッグ１８は、長さ６〜８フィート、幅３〜４フィートとなるように製造される。
【００３２】
ここで、再度説明すると、本発明の高圧酸素室１６を利用することの主要な特徴の１つは、バッグ１８が傷に対して非常に近づいて位置しているのに気づいたときに、医療従事者のすることは、傷に隣接したバッグ１８を外方へ引張って、膨出部２１を生じさせるだけでよいということである。たとえこの傷がシール用テープ３２に直ぐ隣接して位置している場合であっても、傷領域上を覆ったプリーツ部２８を束ねることによって、バッグ１８を局所的に伸張させて膨出部２１を生じさせることができる。この所望領域でバッグを膨張させて膨出部を作るということの目的は、治療効果を高める必要のある傷に接触する酸素の量を増やすことにある。
【００３３】
図７を参照すると、第２の実施例の酸素供給チューブ３４が捩れないでバッグ１８に接続されているのが示してある。バッグ１８の角隅のところで、直角に曲げられた延長部５８が形成されている。この直角に曲げられた延長部５８は、酸素供給チューブ３４とサイズがピタリと一致する孔６０を包含する。ガス供給チューブ３４は、その内端６２がバッグ１８の内部室２２内で大体８インチ程度にわたるまで、孔６０を通して押し込められる。バッグ１８は、様々な所にシームを含む。延長部５８の形成は、これらのシーム６４の１つのところで行われる。シーム６４のところにガス供給チューブ３４を設けることにより、さらに、捻転が生じる可能性を減らすことができる。ひとたびガス供給チューブ３４が所定位置に据え付けられ、内端６２が内部室２２内で約８インチのところまで達したならば、延長部５８と酸素供給チューブ３４との間に適切なシールを行う。このタイプのシールは、接着剤、熱シールのいずれでも、あるいは、外部テープによっても行うことができる。
【００３４】
本発明の重要な特徴は、バッグ１８内のガス圧力が、選択された圧力で、或る狭い「窓」内に維持されない場合には、本発明の高圧酸素室は、傷の治癒にほとんど効果がなくなるということにある。あらゆる既知の傷に対する所望範囲の圧力は、周囲圧力高いよりも０．５〜１０ミリメートル水銀柱（Hgｍｍ）であるべきである。周囲圧力よりも高いこの狭い窓の圧力は再潅流外傷を排除すると共に、酸素毒性を防ぐのに必要である。再潅流外傷とは、この狭い領域の圧力範囲より下い圧力によって起こされる外傷であり、酸素毒性とは、狭い窓の圧力範囲より上に圧力レベルがある場合に、起こるものである。この厳密な範囲において生物学的プロセスが変化して、瘢痕組織の生育が遅らされると同時に、血管成長が加速されるようになる。この結果として、瘢痕組織の成長が鈍くなればなるほど、血管密度が増進され、健康な組織が傷内に蓄えられることになる。これらの治癒した傷は、瘢痕組織よりもかなり高い圧力に耐えることができるようになり、その結果、これらの治癒した傷は再び損傷を受けるようなことがない。したがって、正しい圧力がバッグ１８内に維持されていることを医療介護人（通常、医者または看護婦）に容易にわかるようにさせるために、簡単ではあるが効果的な方法を使用しなければならない。
【００３５】
バッグ１８と共に利用され得るセンサの種類としては、流体圧力計、液晶、シリコン・チップおよびブルドン・チューブがある。図１、図８、図９、図１０、および図１１には、バッグ１８に組み込んだブルドン・チューブ・タイプの圧力センサが示してある。ブルドン・チューブ・タイプは、薄い金属片６８に片面を接着した螺旋形のプラスチック・チューブ６６からなる。静止時、この薄い金属片６８は、螺旋状に渦巻き状態になる。プラスチック・チューブ６６に通ずるただ１つの入口が、図６に示してある構造に従って構築されたコネクタ・ステム３６上に設けてある。バッグ１８内のガス圧力が、プラスチック・チューブ６６内に供給される。この圧力が低すぎる場合には、センサは、図８に示すような位置になる。圧力が高すぎる場合には、センサは、図９で示すような位置になる。センサについての正しい位置は、図１、図１０に示してある。介護者は、センサを一瞥するだけで、バッグ１８内の圧力レベルが低すぎるのか、高すぎるのか、或いはちょうどよいレベルにあるのかどうかを迅速に知ることができる。通常、ガス供給源に圧力レギュレータ（図示せず）が組み込まれることになっていることは了解されたい。バッグ１８に伴ってどのようなセンサが使用されても、バッグ１８が使い捨てできるように製造され得るよう、センサはできるだけ安価であることが重要である。この考えを念頭に置くと、図１、及び図８〜１１に示すブルドン・チューブ・タイプのセンサが本質的に安価であるので、このタイプのセンサが望ましいとする理由である。また、シリコン・チップ・タイプのセンサも充分に安価であり得る。
【図面の簡単な説明】
【図１】  図１は、本発明に従って構成した高圧酸素室の平面図であり、代表的な人間の患者に装着した状態で高圧酸素室（密閉室）を示している図である。
【図２】  図２は、高圧酸素室が以下を含む本発明に従って構成した高圧酸素室の一部の頂平面図であり、高圧酸素室が、複数の手アクセス開口を包含し、この高圧酸素室から外部に突出する位置で手アクセス開口のリバーシブルの管状手袋部材を示す図である。
【図３】  図３は、高圧酸素室内部の反転位置で管状の手袋部材を示している、図２と同様の図である。
【図４】  図４は、高圧酸素室の薄肉バッグの身体アクセス開口の拡大図であり、患者の身体上へのバッグの装着、シール状態をより明瞭に示す、図１の４−４線に沿った図である。
【図５】  図５は、身体アクセス開口に直ぐ隣接して設置したバッグのプリーツ付き領域を通る、図４の５−５線に沿った横断面図である。
【図６】  図６は、バッグの壁と関連して装着したガス・コネクタの第１実施例を通る、図１の６−６線に沿った拡大横断面図である。
【図７】  図７は、バッグの壁と関連して装着したガス・コネクタの第２実施例の横断面図である。
【図８】  図８は、本発明の高圧酸素室と関連して利用できるブルドン・チューブ・タイプの圧力センサの側面図であり、周囲圧力より上の小圧力増加のみを検出している位置にある圧力センサを示している図である。
【図９】  図９は、過度の圧力レベルを検知している位置の圧力センサを示してあっている図８の圧力センサの側面図である。
【図１０】  図１０は、本発明による高圧酸素室と関連して装着した圧力センサの側面図であり、高圧酸素室内の正しい圧力量を検出している正しい位置にある圧力センサを示している図である。
【図１１】  図１１は、図９の１１−１１線に沿った、センサを通る横断面図である。
【図１】
0004249905.tif 000002
【図２】
0004249905.tif 000003
【図３】
0004249905.tif 000004
【図４】
0004249905.tif 000005
【図５】
0004249905.tif 000006
【図６】
0004249905.tif 000007
【図７】
0004249905.tif 000008
【図８】
0004249905.tif 000009
【図９】
0004249905.tif 000010
【図１０】
0004249905.tif 000011
【図１１】
0004249905.tif 000012